(57)【要約】  【課題】  美容用や温熱治療用として好適なホットタオルを加熱・保温する発熱具を提供する。  【解決手段】  温熱パック１は、発熱具１０と、同発熱具１０に取り外し可能に取り付けられるタオル５０から構成される。発熱具１０は、袋状のケース１１と、ケース内に配置された水と反応して発熱する発熱体２０と、同じくケース内に配置された発熱体に水を供給する給水体３０と、発熱体と給水体との間を遮蔽する、取り外し可能な遮蔽部材１３を有する。タオル５０は、ケース１１にベルクロテープ（登録商標）６１、６３で取り外し可能に取り付けられる。【選択図】  図１
2007143570.tif 000002
【特許請求の範囲】
【請求項１】
袋状のケースと、
該ケース内に配置された水と反応して発熱する発熱体と、
同じく前記ケース内に配置された該発熱体に水を供給する給水体と、
前記発熱体と給水体との間を遮蔽する、取り外し可能な遮蔽部材と、
前記ケースの前記給水体と接する側の外面に取り付けられた、被加熱物への付着手段と、
を具備することを特徴とする発熱具。
【請求項２】
袋体と、
該袋体内のポケットに配置される、水と反応して発熱する発熱体と、
同じく前記袋体内に配置される、該発熱体に水を供給する給水体と、
前記袋体の前記給水体と接する側の外面に取り付けられた、被加熱物への付着手段と、
を具備することを特徴とする発熱具。
【請求項３】
前記給水体が、吸水性素材に水を含ませたものであり、加熱された状態あるいは水を含むとゾル状となることを特徴とする請求項１又は２記載の発熱具。
【請求項４】
前記発熱体が、透水性袋内に封入されたアルミニウム粉末及び生石灰粉末を含む発熱剤からなる発熱体であって、
前記ケース及び前記袋体の前記発熱体と接する面に、ガス抜き孔が開けられていることを特徴とする請求項１〜３いずれか１項記載の発熱具。
【請求項５】
加温されたウェットタオルで身体の一部を保温する温熱パックであって、
袋状のケースと、
該ケース内に配置された水と反応して発熱する発熱体と、
同じく前記ケース内に配置された該発熱体に水を供給する給水体と、
前記発熱体と給水体との間を遮蔽する、取り外し可能な遮蔽部材と、
前記ケースの前記給水体と接する側の外面に取り付けられた、ウェットタオルへの付着手段と、
を具備することを特徴とする温熱パック。
【請求項６】
加温されたウェットタオルで身体の一部を保温する温熱パックであって、
袋体と、
該袋体内のポケットに配置される、水と反応して発熱する発熱体と、
同じく前記袋体内に配置される、該発熱体に水を供給する給水体と、
前記袋体の前記給水体と接する側の外面に取り付けられた、ウェットタオルへの付着手段と、
を具備することを特徴とする温熱パック。
【発明の詳細な説明】
【技術分野】
【０００１】
本発明は、水と反応して発熱する発熱剤を使用してウエットタオルやウエットティッシュ等を加温し、所定時間保温する発熱具に関する。さらには、この発熱具を使用して所定温度に加温されたウエットタオルで身体の一部を保温する美容用や温熱治療用の温熱パックに関する。
【背景技術】
【０００２】
水と反応して発熱する発熱剤を用いて、ウエットタオルやウエットティッシュを加温する発熱具として、発熱体と、発熱体の一部に接着又は半接着されたウエットタオルとが、酸素不透過性の外袋に収納されている携帯型ホットウエットタオルが開示されている(例えば、特許文献１参照)。
【０００３】
発熱体は、順に積層された水遮蔽シート、発熱剤及び通気シートからなり、同発熱体の水遮蔽シートの面に、１枚又は複数枚のウエットタオル接着又は半接着されている。発熱剤としては鉄系発熱剤が使用されており、発熱反応や鉄の酸化反応促進のために種々の添加剤が添加されている。複数枚のウエットタオルを保持する場合は、表層から順次引き剥がす構造となっている。
【０００４】
この携帯型ホットウエットタオルにおいては、外袋を破って鉄系発熱剤を酸素と反応させて発熱させると、ウエットタオルが水遮蔽シートを介して加熱され、約１分後にはウエットタオルが約５０℃に温まったと報告されている。そして、使用中も発熱体とウエットタオルが常時接着（半接着）しているので、使用中にタオルが冷たくならない。また、複数枚のウエットタオルを連続して使用する場合でも、全てのタオルを加温された状態で使用することができる。
【０００５】
【特許文献１】特開平１１−３３２７８０号公報
【発明の開示】
【発明が解決しようとする課題】
【０００６】
上記の携帯型ホットウエットタオルは、外出時のおしぼりや介護用として使用される、主に使い捨てタイプのものである。このため、顔や身体を拭く間タオルを適温（約５０℃）に保つようにされている。ところで、このようなホットウエットタオルの他の用途として、美容用や温熱治療用の温熱パックが挙げられる。この場合は、適温（例えば４０〜４５℃）に加温されたホットタオルを顔や患部に比較的長時間（例えば１時間以上）当てることになる。
【０００７】
本発明は、このような美容用や温熱治療用として好適なホットタオルを加熱・保温する発熱具を提供することを目的とする。
【課題を解決するための手段】
【０００８】
本発明の発熱具は、  袋状のケースと、  該ケース内に配置された水と反応して発熱する発熱体と、  同じく前記ケース内に配置された該発熱体に水を供給する給水体と、  前記発熱体と給水体との間を遮蔽する、取り外し可能な遮蔽部材と、  前記ケースの前記給水体と接する側の外面に取り付けられた、被加熱物への付着手段と、を具備することを特徴とする。
【０００９】
本発明によれば、ウエットタオルやウエットティッシュなどの被加熱物に簡単に取り付けられて、同被加熱物を短時間で加熱できる発熱具を提供できる。特に、この発熱具は、発熱体と給水体が一緒にケースに封入されているので、取り扱いや携帯が便利である。
【００１０】
また、本発明によれば、被加熱物は、発熱体から直接、又は、水遮蔽シートのような薄い物質を介してではなく、給水体を介して加熱される。このため、被加熱物がウエットタオルのような身体に直接当てられるものの場合、被加熱物の急激な温度上昇や温度変動を防ぐことができ、安全である。
【００１１】
本発明の他の発熱具は、  袋体と、  該袋体内のポケットに配置される、水と反応して発熱する発熱体と、  同じく前記袋体内に配置される、該発熱体に水を供給する給水体と、  前記袋体の前記給水体と接する側の外面に取り付けられた、被加熱物への付着手段と、を具備することを特徴とする。
【００１２】
本発明によれば、袋体、発熱体及び給水体を別々にすることもできる。
【００１３】
本発明においては、  前記給水体が、吸水性素材に水を含ませたものであり、加熱された状態あるいは水を含んだ状態で、発熱具を逆さや斜めにしても水がこぼれ難い状態（例えばゾル状）であることが好ましい。吸水性素材としては、スポンジや繊維に水を含ませることも考えられる。
【００１４】
本発明によれば、発熱体への水の供給に吸水性素材に水を含ませた吸水体を使用しているので、発熱体へ水を徐々に供給することができる。このため、発熱体の発熱反応の立ち上がりを緩やかにできるとともに、発熱反応時間を長くできる。また、吸水性素材に水を含ませることにより、発熱反応で発生した熱を蓄熱する作用を持たせることができるので、適温に加熱された被加熱物を長時間保温することができる。
【００１５】
なお、本発明において、吸水性素材とは、自重の数倍〜数百倍の水を吸水し、かつ、放水する作用を有するものが好ましい。このような素材としては、吸水性繊維、海綿状素材、吸水性ポリマー等を用いることができる。
【００１６】
吸水性ポリマーとしては、ポリ（メタ）アクリル酸架橋体、ポリ（メタ）アクリル酸塩架橋体、スルホン酸基を有するポリ（メタ）アクリル酸エステル架橋体、ポリオキシアルキレン基を有するポリ（メタ）アクリル酸エステル架橋体、ポリ（メタ）アクリルアミド架橋体、（メタ）アクリル酸塩と（メタ）アクリルアミドとの共重合架橋体、（メタ）アクリル酸ヒドロキシアルキルと（メタ）アクリル酸塩との共重合架橋体、ポリジオキソラン架橋体、架橋ポリエチレンオキシド、架橋ポリビニルピロリドン、スルホン化ポリスチレン架橋体、架橋ポリビニルピリジン、デンプン−ポリ（メタ）アクリロニトリルグラフト共重合体のケン化物、デンプン−ポリ（メタ）アクリル酸（塩）グラフト架橋共重合体、ポリビニルアルコールと無水マレイン酸（塩）との反応生成物、架橋ポリビニルアルコールスルホン酸塩、ポリビニルアルコール−アクリル酸グラフト共重合体、ポリイソブチレンマレイン酸（塩）架橋重合体等が一例として挙げられる。これらは単独で用いてもよく、２種以上を併用してもよい。
【００１７】
本発明においては、  前記発熱体が、透水性袋内に封入されたアルミニウム粉末及び生石灰粉末を含む発熱剤からなる発熱体であって、  前記ケース及び前記袋体の前記発熱体と接する面に、ガス抜き孔が開けられていることが好ましい。
【００１８】
本発明によれば、アルミニウム粉末と生石灰粉末を含む発熱剤の反応時に発生する水素ガスや水蒸気を、被加熱物の反対側へ排出することができ、被加熱物に対して安全である。
【００１９】
本発明において、発熱剤におけるアルミニウム粉末と生石灰粉末の重量比は、アルミニウム：生石灰＝１０：９０〜６０：４０とすることができる。特に、温度の立ち上がりと温度の持続性の点で、アルミニウム：生石灰＝３５：６５〜５０：５０が好ましい。さらに、アルミニウムの粒度分布は、例えば、〜４５μｍ；３５〜６０％、４５〜６３μｍ；１５〜３０％、６３〜７５μｍ；５〜２５％、＋７５μｍ；１０〜２８％であり、生石灰粉末の粒度分布は、〜７５μｍ；１０〜５５％、７５〜１５０μｍ；２５〜５５％、＋１５０μｍ；０〜６５％のものを使用できる。
【００２０】
また、発熱剤が封入される透水性袋は、不織布で作製されることが好ましい。不織布の材質は、コットンやパルプ羊毛などの天然繊維、ビスコース（レーヨン）やキュプラなどの再生繊維、または、６−ナイロン、６，６−ナイロンなどのポリアミド、ポリエチレンテレフタレート、ポリトリメチレンテレフタレート、ポリブチレンテレフタレート、ポリ乳酸、ポリグリコール酸をはじめとする直鎖又は分岐の炭素数２０までのポリエステル類、ポリエチレン、ポリプロピレンなどのポリオレフィン類、アクリルなどの合成繊維などを用いることができる。これらは２種類以上の素材のものを複合して使用してもよい。また、不織布の製造方法は、スパンレース法、スパンボンド法などによることができる。
【００２１】
不織布の物性は、目付（秤量）（ｇ／ｍ2）；４０〜７０、厚さ（μｍ）；１７０〜４６０、縦引張強度（Ｎ／５ｃｍ）；２５〜３８０、横引張強度（Ｎ／５ｃｍ）；１３〜１６５、縦引張伸度（％）；８０以下、横引張伸度（％）；１２０以下のものなどを用いることができる。
また、不織布に防水層を設けることもできる。防水層は、合成樹脂フィルムをラミネート加工することにより形成する。合成樹脂フィルムとしては、ポリエチレン、ポリプロピレンなどのポリオレフィン系樹脂、ポリアミド系樹脂、ポリエステル系樹脂、ポリ塩化ビニル系樹脂、ポリスチレン系樹脂、共重合ポリアミド系樹脂、共重合ポリエステル系樹脂、エチレン−酢酸ビニル系樹脂、エストラマーなど、あるいは、それらの二種類以上の混合樹脂からなる単層フィルムや積層フィルムを用いることができる。合成樹脂フィルムの厚さは、０．０１〜０．３ｍｍ、好ましくは、０．０２〜０．１ｍｍである。
【００２２】
本発明の温熱パックは、  加温されたウエットタオルで身体の一部を保温する温熱パックであって、  袋状のケースと、  該ケース内に配置された水と反応して発熱する発熱体と、  同じく前記ケース内に配置された該発熱体に水を供給する給水体と、  前記発熱体と給水体との間を遮蔽する、取り外し可能な遮蔽部材と、  前記ケースの前記給水体と接する側の外面に取り付けられた、ウエットタオルへの付着手段と、を具備することを特徴とする。
【００２３】
本発明によれば、長時間（例えば１時間以上）所定の温度（例えば４０〜５０℃）に保温できる温熱パックを提供できる。この温熱パックは、例えば、顔面を保温する美容用温熱パックや、患部を温熱治療する医療用温熱パックとして使用できる。
【００２４】
本発明の他の温熱パックは、  加温されたウエットタオルで身体の一部を保温する温熱パックであって、  袋体と、  該袋体内のポケットに配置される、水と反応して発熱する発熱体と、    同じく前記袋体内に配置される、該発熱体に水を供給する給水体と、  前記袋体の前記給水体と接する側の外面に取り付けられた、ウエットタオルへの付着手段と、を具備することを特徴とする。
【発明の効果】
【００２５】
以上の説明から明らかなように、本発明によれば、被加熱物（ウエットタオルやウエットティッシュなど）を適温に加熱し比較的長時間保温できる発熱具を提供できる。さらに、この発熱具を用いた美容用や温熱治療用の温熱パックを提供できる。
【発明を実施するための形態】
【００２６】
以下、本発明の実施の形態について、図面を参照しながら詳細に説明する。
図１は、本発明の実施の形態に係る温熱パックの構成を示す断面図である。
図２は、図１の温熱パックの平面図である。
図３は、図１の温熱パックの発熱体の平面図である。
図４は、温熱パックの使用状態の例を模式的に示す図である。
この温熱パック１は、発熱具１０と、同発熱具１０に取り外し可能に取り付けられるタオル５０から構成される。タオル５０は、木綿布地製で、所定の形状（この例では長方形、縦３０ｃｍ×横１０ｃｍ）を有する。このタオル５０は、繰り返し使用可能である。
【００２７】
発熱具１０は、密閉された袋状のケース１１に封入された、水と反応して発熱するタイプの発熱体２０と、同発熱体２０へ水を供給する給水体３０を有する。ケース１１の内部は、例えばアルミ箔製の遮蔽部材１３で、２つの区画１５Ａ、１５Ｂに液密に分けられている。一方の区画１５Ａには発熱体２０が収容されており、他方の区画１５Ｂには給水体３０が収容されている。遮蔽部材１３は、ケース１１に対して引っ張ることによりケース１１から取り外されて、２つの区画１５Ａ、１５Ｂが連通する。
【００２８】
まず、発熱体２０について説明する。
発熱体２０は、アルミニウム粉末と生石灰粉末を４：６の重量比で混合した発熱剤２１を、袋体２３に封入したものである。この例では、発熱剤２１として、アルミニウム粉末（ＶＡ−１５０  山石金属製）９．６ｇと、生石灰粉末（田源石灰製）１４．４ｇを混合した混合粉末（全量２４ｇ）を使用する。
この例における各粉末の粒度分布は以下である。アルミニウム粉末：〜４５μｍ；４３．５２％、４５〜６３μｍ；１９．８５％、６３〜７５μｍ；１８．９０％、＋７５μｍ；１７．７３％、生石灰：〜７５μｍ；１１．６９％、７５〜１５０μｍ；２９．２７％、＋１５０μｍ；５９．０４％。
この例における生石灰の物性は、酸化カルシウム；９３％以上（ＥＤＴＡ滴定法（ＮＮ指示薬）により測定）、二酸化炭素；２．０％以下（ストレライン法にて測定）、不純分；３．２％以下（過塩素酸法、ＥＤＴＡ滴定法、吸光光度法にて測定）である。なお、不純分とは、二酸化珪素、酸化アルミニウム、酸化第二鉄、酸化マグネシウムの合計である。
【００２９】
この発熱剤２１は、水と反応して以下の化学反応を起こす。
ＣａＯ＋Ｈ2Ｏ→Ｃａ（ＯＨ）2＋１５．２ＫＣａｌ、
２Ａｌ＋３Ｃａ（ＯＨ）2→３ＣａＯ・Ａｌ2Ｏ3＋３Ｈ2＋４７ＫＣａｌ。
この化学反応により、水が熱せられ水蒸気とガスが発生する。
【００３０】
図３に示すように、袋体２３は縦長の形状で、この例では、縦２２０ｍｍ×横６０ｍｍの寸法を有する。袋体２３には、ほぼ正方形の４つのセル２５が形成されている。各セル２５の寸法は、この例では、縦５０ｍｍ×横５０ｍｍである。そして、各セル２５に発熱剤２１が６ｇずつ封入されている。このように発熱剤２１を各セル２５に分けて封入することにより、発熱剤２１が偏らず、発熱体２０の全面をほぼ均等に発熱させることができる。
【００３１】
袋体２３の基材としては、例えば非撥水性の不織布（１００％コットン、ＣＯ４０Ｓ／ＰＰ４０、ユニチカ社製）を使用できる。同不織布の物性は、目付（秤量）（ｇ／ｍ2）；４０、厚さ（μｍ）；３３０、縦引張強度（Ｎ／５ｃｍ）；３５、横引張強度（Ｎ／５ｃｍ）；１５、縦引張伸度（％）；２５、横引張伸度（％）；７５、である。今回使用した不織布はスパンレース法で作製されている。スパンレース法とは、高圧の水流を柱状に噴射して繊維を絡ませる製法で、柔軟でドレープ性に富み、羽毛立ちのない不織布を製造できる。この方法で製造された不織布は、主にオムツや医療資材、食品用や掃除用の生活資材に使用されている。不織布の一面には防水層（ＰＰ製）が押出しラミネート加工により設けられている。その他に、加熱貼りあわせなどによることもできる。防水層の厚さは４０μｍである。
【００３２】
袋体２３は多数の針穴４１が開けられて、１ｃｍ2当り４５〜４００ミリリットル／分（水頭２７ｃｍの場合）の透水速度を有する。この透水速度は、この例においては、ガーレ式デンソメータ（ＲＡＮＧＥ；３００ｍｌ、ＴＩＭＥＲ；ｓ、ｔ＜１、測定部直径；３０ｍｍ、東洋精機製作所製、ＪＩＳ  Ｐ８１１７準拠）を使用して計測された通気速度
（ミリリットル／ｍｉｎ／ｃｍ2）の１／１３で示すことができる。
【００３３】
次に、給水体３０について説明する。
給水体３０は、吸水性ポリマー３１に水を含ませて膨潤させゾル状としたものである。このゾル状物質は不織布製の袋体３３に封入されている。吸水性ポリマー３１としては、ポリ（メタ）アクリル酸架橋体、ポリ（メタ）アクリル酸塩架橋体、スルホン酸基を有するポリ（メタ）アクリル酸エステル架橋体、ポリオキシアルキレン基を有するポリ（メタ）アクリル酸エステル架橋体、ポリ（メタ）アクリルアミド架橋体、（メタ）アクリル酸塩と（メタ）アクリルアミドとの共重合架橋体、（メタ）アクリル酸ヒドロキシアルキルと（メタ）アクリル酸塩との共重合架橋体、ポリジオキソラン架橋体、架橋ポリエチレンオキシド、架橋ポリビニルピロリドン、スルホン化ポリスチレン架橋体、架橋ポリビニルピリジン、デンプン−ポリ（メタ）アクリロニトリルグラフト共重合体のケン化物、デンプン−ポリ（メタ）アクリル酸（塩）グラフト架橋共重合体、ポリビニルアルコールと無水マレイン酸（塩）との反応生成物、架橋ポリビニルアルコールスルホン酸塩、ポリビニルアルコール−アクリル酸グラフト共重合体、ポリイソブチレンマレイン酸（塩）架橋重合体等が一例として挙げられる。これらは単独で用いてもよく、２種以上を併用してもよい。
【００３４】
この例においては、重量２．１ｇのポリアクリル酸ナトリウムに、５００ｇの水を吸水させたものを使用した。吸水体の水の量は、発熱剤２１の重量の２〜５倍程度が好ましい。
【００３５】
袋体３３は、発熱体２０の袋体２３とほぼ同じ縦長の形状で、この例では、縦２２０ｍｍ×横６０ｍｍの寸法を有する。袋体３３の不織布は、容易に水が染み出す程度の厚さであることが好ましい。不織布の材質としては、コットンやパルプ羊毛などの天然繊維、ビスコース（レーヨン）やキュプラなどの再生繊維、または、６−ナイロン、６，６−ナイロンなどのポリアミド、ポリエチレンテレフタレート、ポリトリメチレンテレフタレート、ポリブチレンテレフタレート、ポリ乳酸、ポリグリコール酸をはじめとする直鎖又は分岐の炭素数２０までのポリエステル類、ポリエチレン、ポリプロピレンなどのポリオレフィン類、アクリルなどの合成繊維などを用いることができる。これらは２種類以上の素材のものを複合して使用してもよい。また、不織布の製造方法は、スパンレース法、スパンボンド法などによることができる。
【００３６】
ケース１１の、給水体３０が収容される区画１５Ｂの外側の面には、長手方向に延びる２本のベルクロテープ（登録商標）の凸片６１が貼り付けられている。一方、タオル５０の裏側の面（顔に当てる面の反対側の面）にも、付着手段としての長手方向に延びる２本のベルクロテープ（登録商標）の凹片６３が取り付けられている。これらのベルクロテープ（登録商標）６１、６３により、タオル５０はケース１１に対して脱着可能である。
【００３７】
一方、ケース１１の、発熱体２０が収容される区画１５Ａの外側の面は、多数のガス抜き孔４１が開けられている。ガス抜き孔４１は、例えば、孔径が１．０〜５．０ｍｍで、密度を０．５〜１０個／ｃｍ2程度とすることができる。
【００３８】
次に、この温熱パック１の使用方法を説明する。
まず、ケース１１から遮蔽部材１３を取り外し、ケースの２つの区画１５Ａ、１５Ｂを連通させて発熱体２０と給水体３０を接触させる。すると、給水体３０の吸水ポリマー３１から袋体３３を通って発熱体２０に水が送られる。水は、発熱体２０の袋体２３を通って発熱剤２１に達し、発熱剤２１が反応して発熱する。この熱により給水体３０が加熱される。その後、水で濡らして絞ったタオル５０のベルクロテープ（登録商標）凹片６３とケース１１のベルクロテープ（登録商標）凸片６１とを合わせて、タオル５０をケース１１に取り付ける。タオル５０は、加熱された給水体３０によって温められる。
そして、温熱パック１を、温められたウェットタオル５０が顔や患部へ当るように置く。
【００３９】
なお、給水体３０から発熱体２０への給水は、吸水ポリマー３１に含有されている水が徐々に放水されていくことにより行われるので、発熱反応の立ち上がりは緩やかである。さらに、一度に給水されることもないので、急激な発熱を防ぎ、発熱反応を長時間維持させることができる。
また、発熱剤２１は上述のような透水速度を有する袋体２３に収容されているので、給水開始後すぐに発熱反応が開始する。
【００４０】
発熱剤２１の発熱反応により発生した水蒸気と水素ガスは、図１に示すケース１１のガス抜き孔４１から外部へ排出される。なお、発熱反応は穏やかであるので、蒸気やガスの発生は余り目には見えない。
【００４１】
このように、タオル５０は、発熱反応で加熱された給水体３０を介して加熱・保温される。また、給水体３０を、水分を吸収したゲル状の吸水ポリマー３１としたので、蓄熱作用も発揮される。このため、直接身体に当るタオル５０の急激な加温や温度変動を防ぎ、安全であるとともに、保温時間を長くすることができる。この例では、タオル５０を４０〜４５℃の温度範囲に１時程度保温することができる。
また、タオル５０に予め化粧成分や医薬成分を含ませておくと、美容効果や治療効果をさらに高めることができる。
【００４２】
図５は、本発明の第２の実施の形態に係る温熱パックの発熱具を説明する平面図である。
図６は、図５の発熱具の側面断面図である。
この例の温熱パックの発熱具１０´は、ケース１１´、発熱体２０、給水体３０が別々である。発熱体２０と給水体３０は、図１の発熱具１０と同様のものを使用できる。ただし、発熱体２０、給水体３０は、各々外袋２９、３５に封入されている。
【００４３】
ケース１１´は袋状で、図１のような遮蔽部材は設けられていない。ケース１１´の上部には、ファスナー１７等により密閉可能な開口１２が形成されている。なお、ケース１１´の一面には、図１と同様にベルクロテープ（登録商標）６１が貼り付けられており、他方の面にはガス抜き穴４１が開けられている。
【００４４】
この発熱具１０´の使用法を説明する。
図７は、発熱具の使用法を模式的に説明する図である。
まず、給水体３０を外袋３５から取り出して、図７（Ａ）に示すように、ケース１１´の開いた開口１２から差し込む。次に、発熱体２０を外袋２９から取り出し、図７（Ｂ）に示すように、ケース１１´の開口１２から、ケース１１´のガス抜き穴４１の側に給水体３０に沿って差し込む。そして、図７（Ｃ）に示すように、ケース１１´の開口１２をファスナー１７で閉じる。発熱体２０が発熱反応を起こし、給水体３０が温まると、図１の実施例と同様に、ケース１１´のベルクロテープ（登録商標）６１にタオル５０のベルクロテープ（登録商標）６３を合わせて、タオル５０をケース１１´に取り付ける。
【００４５】
この発熱具１０´においては、使用時に発熱体２０や給水体３０をケース１１´に差し込む作業が必要であるが、ケース１１´に遮蔽部材が設けられていないため、ケース１１´の構成が簡易になる。発熱体２０や給水体３０は、ピンセットや箸のようなものを使用すると比較的簡単にケース１１´に差し込むことができる。
【００４６】
なお、この実施例においては、発熱体に水を供給する給水体として、水を含ませた吸水性ポリマーを用いたが、他に、海綿状素材、吸水性繊維などを用いることもできる。さらに、被加熱物がタオルの場合に、付着手段としてベルクロテープ（登録商標）を使用したが、付着手段としては他に、クリップやボタン、ゴム等を用いることができる。また、被加熱物がティッシュ等の不織布の場合は、付着手段としてクリップ、ゴムなどを用いることもできる。
【図面の簡単な説明】
【００４７】
【図１】本発明の実施の形態に係る温熱パックの構成を示す断面図である。
【図２】図１の温熱パックの平面図である。
【図３】図１の温熱パックの発熱体の平面図である。
【図４】温熱パックの使用状態の例を模式的に示す図である。
【図５】本発明の第２の実施の形態に係る温熱パックの発熱具を説明する平面図である。
【図６】図５の発熱具の側面断面図である。
【図７】発熱具の使用法を模式的に説明する図である。
【符号の説明】
【００４８】
１  温熱パック                      １０  発熱具
１１  ケース                          １３  遮蔽部材
１５  区画                            １７  ファスナー
２０  発熱体                          ２１  発熱剤
２３  袋体                            ２５  セル
３０  給水体                          ３１  吸水ポリマー
３３  袋体                            ４１  ガス抜き孔
５０  タオル                          ６１、６３  ベルクロテープ（登録商標）
【図１】
2007143570.tif 000003
【図２】
2007143570.tif 000004
【図３】
2007143570.tif 000005
【図４】
2007143570.tif 000006
【図５】
2007143570.tif 000007
【図６】
2007143570.tif 000008
【図７】
2007143570.tif 000009